(57)【特許請求の範囲】
【請求項１】
通信機の本体ユニットと当該本体ユニットから延出するヘッドマイクと、前記本体ユニットにケーブルで接続される左右一対のスピーカとを具備する無線送受信機をヘルメットに装着するための取付具であって、
前記ヘルメットの後部下縁に着脱自在に固定され、当該ヘルメットの下縁の下部に沿って後部から左右側部まで延びる合成樹脂製のバンドと、
前記バンドの両端部に取り付けられる合成樹脂製の左右一対のスピーカ保持部材とを具備し、
前記スピーカ保持部材は、内側に前記スピーカを面ファスナにより保持する保持空間を有し外側面に前記本体ユニットを面ファスナにより支持するスピーカ保持ケースと、当該スピーカ保持ケースから上方へ延出し下部に前記バンドの端部が接続されるバンド接続部と、当該バンド接続部の上端部から前記ヘルメットに沿って延出し当該ヘルメットの下縁部にクリップで着脱自在に固定される支持片部とを具備し、
前記スピーカ保持ケースは、ヘルメット装着者の耳に対面するように設けられ、前記スピーカの保持空間内に保持されるスピーカから延出するケーブルを外部へ導出する開口を具備し、
前記バンドは、前記スピーカ保持ケースの開口から導出されて前記通信機の本体ユニットにつながる前記ケーブルを当該バンドの内側面に沿って係脱自在に保持するための複数のケーブル係止部を内側面に具備することを特徴とするヘルメット用無線送受信機の取付具。
【請求項２】
前記スピーカ保持ケースは、前記バンド接続部と一体に形成されるケース主体部と、当該ケース主体部に対し嵌合離脱自在の蓋体とを具備し、
前記ケース主体部は、内側がヘルメット装着者の側頭部に沿うように設けられ、外側面に前記本体ユニットを固着するための面ファスナが貼着され、内側面の中央部に前記スピーカを固着するための面ファスナが貼着される外側壁を具備し、
前記蓋体は、嵌合時に前記ケース主体部の外側壁と対向して当該外側壁との間に前記スピーカ保持空間を形成するように設けられ、中央部に前記外側壁に固着された前記スピーカを内側へ露出させる開口を具備する内側壁を具備することを特徴とする請求項１に記載のヘルメット用無線送受信機の取付具。
【発明の詳細な説明】
【技術分野】
【０００１】
本発明は、ヘルメットへのインカム等の無線送受信機を取り付けるための器具に関する。
【背景技術】
【０００２】
特許文献１には、工事現場等において用いられるヘルメットの側部下縁にクリップにより無線送受信用のヘッドホンとマイクを取り付けたものが開示されている（図７）。
【先行技術文献】
【特許文献】
【０００３】
【特許文献１】特開２００１−３３３４７８号公報
【発明の概要】
【発明が解決しようとする課題】
【０００４】
上記従来の取付具は、不安定で、工事現場での過酷な取り扱いには十分に対応することができない。
したがって、本発明は、工事用ヘルメットに、通信機本体、スピーカ、マイクを強固に、確実に取り付けることができる取付具を提供することを目的としている。
【課題を解決するための手段】
【０００５】
以下、添付図面の符号を参照して説明するが、本発明はこれに限定されるものではない。
上記課題を解決するための、本発明の取付具１は、合成樹脂製のバンド２と、合成樹脂製の左右一対のスピーカ保持部材３とを具備する。バンド２は、ヘルメットＨの後部下縁Ｈ１に着脱自在に固定され当該ヘルメットＨの下縁Ｈ１の下部に沿って後部から左右側部まで延びる。スピーカ保持部材３は、スピーカ保持ケース３３と、バンド接続部３１２と、支持片部３１３とを具備し、バンド接続部３１２においてバンド２の両端部に取り付けられる。スピーカ保持ケース３３は、ヘルメット装着者の耳に対面するように設けられ、内側の保持空間６にスピーカＳを面ファスナ３１１ｃにより保持し、外側面に通信機の本体ユニットＵを面ファスナ４により支持する。また、スピーカ保持ケース３３は、保持空間６内に保持されるスピーカＳから延出するケーブルＣを外部へ導出する開口３１１ｅ、３２ｅを具備する。バンド接続部３１２は、スピーカ保持ケース３３から上方へ延出し、その下部にバンド２の端部が接続される。支持片部３１３は、バンド接続部３１２の上端部からヘルメットＨの側面に沿って延出し、ヘルメットＨの下縁部Ｈ１にクリップで着脱自在に固定される。バンド２は、スピーカ保持ケース３３の開口３１１ｅ、３２ｅから導出されるケーブルＣを、それの内側面に沿って通信機本体ユニットＵまで係脱自在に保持するための複数のケーブル係止部２１ｂ、２２ｂ、２３ｂを内側面に具備する。
【発明の効果】
【０００６】
本発明の取付具１においては、左右一対のスピーカ保持部材３が、バンド２によりヘルメットＨに強固かつ容易に保持される。スピーカ保持部材３の外側には、面ファスナ４で通信機本体ユニットＵが面ファスナ４で取り付けられ、容易に着脱できる。スピーカＳは、スピーカ保持部材３のスピーカ保持ケース３３の内側に面ファスナ５で保持されるから、作業中に容易に脱落することがなく、また破損のおそれもない。通信機本体ユニットＵとスピーカＳとの間のケーブルＣは、バンド２の内側に保持されるから断線のおそれがない。
【図面の簡単な説明】
【０００７】
【図１】本発明に係るヘルメット用無線送受信機取付具の分解斜視図である。
【図２】一方のスピーカ保持部材の蓋体が外された状態における図１の無線送受信機取付具の展開状態の内側面図であり、取り外された蓋体の内側面図を傍らに示している。
【図３】図１の無線送受信機取付具のヘルメットへの装着状態の側面図である。
【発明を実施するための形態】
【０００８】
図面を参照して本発明の実施の形態を説明する。
本発明の取付具１を用いてヘルメットＨに取り付ける無線送受信機は、本体ユニットＵと、それから延出するヘッドマイクＭと、本体ユニットＵにケーブルＣで接続される左右一対のスピーカＳとを具備する。取付具１は、比較的柔軟な合成樹脂製のバンド２と、同様の合成樹脂製の左右一対のスピーカ保持部材３とを具備する。
【０００９】
バンド２は、ヘルメットＨの後部下縁Ｈ１にクリップ１１で着脱自在に固定され、当該ヘルメットＨの下縁Ｈ１の下部に沿って後部から左右側部まで延びる。
【００１０】
図示の実施形態において、バンド２は、後部及び左右の３つのバンド部材２１，２２，２３からなり、互いに弾性係合部２１ａ，２２ａ，２３ａを係合させて接続される。バンド２は、無線送受信機の本体ユニットＵと左右２つのスピーカＳとを接続するケーブルＣを、それの内側面に沿って配線するための複数のケーブル係止部２１ｂ，２２ｂ，２３ｂを内側面に具備する。後部バンド部材２１は、中央部から上方に延出したクリップ接続部２１ｃを具備する。
【００１１】
スピーカ保持部材３は、互いに嵌合離脱自在の本体３１と蓋体３２とからなり、両者が嵌合してスピーカ保持ケース３３を形成する。
【００１２】
本体３１は、ケース主体部３１１と、バンド接続部３１２と、支持片部３１３とを具備し、バンド接続部３１２においてバンド２の両端部に接続される。
【００１３】
ケース主体部３１１は、内側がヘルメット装着者の側頭部（耳）に沿うように設けられる外側壁３１１ａと、それの周縁から内側へ立ち上がる周壁３１１ｂをと具備する。外側壁３１１ａの外側面（図３）には、本体ユニットＵを固着するための面ファスナ４が貼着される。外側壁３１１ａの内側面の中央部には、スピーカＳを固着するための面ファスナ５が貼着され、その両側に一対の保護リブ３３１ｃ、さらにその外側に一対の係合ピン３１１ｄが設けられる。保護リブ３１１ｃは、面ファスナ５を包囲するように内側面から断面円弧状に立ち上がる。係合ピン３１１ｄは、内側面から垂直に起立し、蓋体３２のピン孔３２１ｄに係合するように設けられ、外周に抜け止め抵抗を付与するためのローレット溝が形成される。周壁３１１ｂには、蓋体３２との嵌合時にケーブル導出用の開口を形成するための切欠３１１ｅが形成される。
【００１４】
蓋体３２は、本体３１のケース主体部３１１との嵌合して、内側にスピーカＳを保持するケース３３を形成する。蓋体３２は、ケース主体部３１１との嵌合時に外側壁３１１ａと対向して当該外側壁３１１ａとの間にスピーカ保持空間６を形成する内側壁３２ａと、それの周縁から内側へ立ち上がる周壁３２ｂをと具備する。内側壁３２ａは、スピーカＳを内側へ露出させる円形の開口３２ｃと、係合ピン３１１ｃを所要の摩擦抵抗をもって受け入れるピン孔３２ｄを具備する。周壁３２ｂには、ケース主体部３１１との嵌合時にケーブル導出用の開口を形成するための切欠３２ｅが形成される。
【００１５】
バンド接続部３１２は、平板状で、ケース主体部３１１から上方へ延出し、その下部にバンド２の端部が接続され、上部が支持片部３１３に連続している。
【００１６】
支持片部３１３は、バンド接続部３１２の上端部からヘルメットＨに沿って前後方向に延出し、ヘルメットＨの下縁部Ｈ１にクリップ１２で着脱自在に固定される。
【符号の説明】
【００１７】
１      取付具
２      バンド
２１    バンド部材
２１ａ  弾性係合部
２１ｂ  ケーブル係止部
２１ｃ  クリップ接続部
２２    バンド部材
２２ａ  弾性係合部
２２ｂ  ケーブル係止部
２３    バンド部材
２３ａ  弾性係合部
２３ｂ  ケーブル係止部
３      スピーカ保持部材
３１    本体
３１１  ケース主体部
３１１ａ  外側壁
３１１ｂ  周壁
３１１ｃ  保護リブ
３１１ｄ  係合ピン
３１１ｅ  切欠
３１２    バンド接続部
３１３    支持片部
３２    蓋体
３２ａ  内側壁
３２ｂ  周壁
３２ｃ  開口
３２ｄ  係合孔
３２ｅ  切欠
４      面ファスナ
５      面ファスナ
６      保持空間
１１    クリップ
１２    クリップ
Ｈ      ヘルメット
Ｈ１    下縁
Ｍ      マイク
Ｓ      スピーカ
Ｕ      通信機本体ユニット
【図１】
0006934509.tif 000002
【図２】
0006934509.tif 000003
【図３】
0006934509.tif 000004